(57)【要約】  本発明者は、本明細書で、機密情報の保護に有用な破壊的な（自己破壊）文書を開示している。本発明は、多数の個別構成要素に容易かつ即座に分解できる文書を備え、よって、その上に含まれるあらゆる情報を抹消できる。文書の自己破壊は、破壊のために外部の機器を必要とせず、可読データの除去を保証するので、本発明は、従来技術に対する大きな改善となる。異なる用途のために分化された本発明の文書の多数の実施形態が、図示され、説明される。【選択図】図１Ａ
2019526066.tif 000002
【特許請求の範囲】
【請求項１】
自己破壊文書であって、
印刷することが可能なカバーシートであって、引き上げることによって、前記カバーシートから解放することができる一連の島状切抜きを形成するように切り込む又はミシン目を入れることが可能なカバーシートと、
前記切抜きを覆い又は前記切抜きを下に置き、前記切抜きに接着され、直線状に又はランダムに前記切抜きを接続するフィラメントと、
前記フィラメントを囲むカラーであって、前記接着された切抜きを前記フィラメントから解放するように、前記フィラメントの長さに沿って引かれることが可能なカラーを備えるストリッパと、を備える自己破壊文書。
【請求項２】
前記切抜き及びフィラメントの形状が、データマスキングを最大化するように選択される、請求項１に記載の発明。
【請求項３】
前記フィラメントが、前記フィラメントの引抜きを容易にするために、自由端にタブをさらに備える、請求項１に記載の発明。
【請求項４】
前記タブが、前記フィラメントに不可欠である、請求項３に記載の発明。
【請求項５】
前記フィラメントが、前記カバーシート及びフィラメントが、均一な筆記可能な表面として存在するように書き込み又は印刷することができる表面を備える、請求項１に記載の発明。
【請求項６】
前記フィラメントが、前記ストリッパを貫通し、前記ストリッパが、前記文書に恒久的に取り付けられ、前記文書の把持を容易にする指掛け部とともに形成される、請求項１に記載の発明。
【請求項７】
前記ストリッパが、前記文書に一時的に取り付けられる、請求項１に記載の発明。
【請求項８】
前記文書は、個人情報の盗難に対する保護を提供する、請求項１に記載の発明。
【請求項９】
下部バッキングシートをさらに備え、
前記カバーシートが、前記バッキングシートを覆い、前記バッキングシートに一時的に接着される下部接着面を有する、請求項１に記載の発明。
【請求項１０】
前記バッキングシートが透明である、請求項９に記載の発明。
【請求項１１】
前記バッキングシートが、前記カバーシートへの結合によって前記上に重なるカバーシートを強化するために働く、請求項９に記載の発明。
【請求項１２】
前記下部バッキングシートが、郵送物又は他の表面に取り付けることが可能な下部接着面をさらに備える、請求項９に記載の発明。
【請求項１３】
前記下部バッキングシートが、郵送物又は他の表面に取り付けることが可能な下部接着面をさらに備え、前記下部接着面が、剥離ライナによって保護される、請求項９に記載の発明。
【請求項１４】
機密情報の保護における請求項１に記載の文書の使用。
【発明の詳細な説明】
【背景技術】
【０００１】
本発明の背景
データの機密性及び個人情報の盗難に対する脅威は、ますます一般的なものとなってきており、個人又は会社情報を盗まれて悪用された人々に、口で言い表せない苦悶や、毎年何億もの損失をもたらしている。しかし、オンラインハッキング、フィッシング、及び、その他のコンピュータを利用した個人情報の盗難が新聞で大きく取り上げられているが、大量のそのような情報は、一般に、ダンプスターダイビング（ごみ箱あさり）として知られている、ごみになった印刷された個人通信から情報を抜き出すことによる、昔ながらの方法でさらに盗まれている。
【０００２】
典型的なメールボックスを通過する無数の項目には、求められたものもあれば、個人の管理を越えたものもあり、これらには、氏名及び住所から、公開用に設計されていない他のより私的な情報までの豊富な情報が、公衆の目に触れる所に含まれている。現在、そのような項目は、この情報が破壊されることを保証する迅速かつ単純な方法を有しておらず、廃棄された郵便物及び同様のものから盗まれた情報の使用は、本発明が解決策を提供する大きな問題のままである。
【０００３】
さらに、業界内でのデータ窃盗及びスパイ活動は、ますます一般的になっている。安全なイントラネットなどの厳密な環境制御を有し、重要機器にはファイルを保存させないオフィスでさえ、手書きのノート及び一時的なメモの必要性が、他のセキュアシステムにおける弱点のままである。
【０００４】
そのようなプライベート情報を保護するために多数の解決策が存在するが、これらは多くの場合、紙細断機などの外部の機器を必要とする、又は、通常の、単純な紙の引き裂き、隠蔽スタンプ及びマーカの使用、又は同様のものによる場合のように、情報の不完全な消去になることがある。現実社会での有用性が欠けているため、現在利用可能な解決策は、差し迫った必要性に対処することができない。本発明者は、破壊的な（例えば、自己破壊又は自己細断）文書を本明細書に開示し、個人及び産業情報の窃盗に対する一連の解決策を提供し、結果的に、優れたレベルのプライバシー及び保護を提供する。
【発明の概要】
【０００５】
本発明の概要
本発明は、個人的、医学的、及び産業的な情報の窃盗に対する一連の解決策を提供する。要約すると、本発明は、カバーシートと呼ばれる印刷可能な表面を備える。光切断又はミシン目のパターンを使用して、カバーシートは、一連の解放可能な島状切抜き及び残りの枠組に分けられ、それにより、ページの完全性は維持されるが、各切抜きは、ミシン目の存在のために、最低限の力のみ使用してページから解放できる。切抜きはフィラメントによってつながれ、通常、タブで終了する。タブは、切抜きのすべてをそれぞれ又は順番に解放するために引っ張ることができ、よって、切抜きの上に存在する印刷された又は書かれた内容の部分を取り除くことができる。次いで、フィラメントを囲む剥離装置は、フィラメントから個々の切抜きを解放するために使用され、結果として印刷面が破壊され、すべての可読テキストが抹消される。いくつかの実施形態において、カバーシートは、任意選択の剥離ライナを有する接着性のバッキングシートに接着され、カバーシートを要望通り商品に取り付けることが可能になる。
【０００６】
本発明は、以下の要素：
１つ又は複数のカバーシートであって、任意選択のトップシートを有することもある、カバーシートと、
１つ又は複数のフィラメントであって、任意選択タブで終了することもあるフィラメントと、
１つ又は複数の剥離装置であって、任意選択のシュレッダーを有することもある剥離装置と、
１つ又は複数の任意選択のバッキングシート及び任意選択の関連する剥離ライナと、
を備え、それぞれは以下でさらに詳述され、特定の好ましい実施形態の説明が続く。簡潔さのために、上記の要素に言及するために、単数がテキスト内で使用されるが、必要に応じて参照された要素のうちの１つ又は複数を含むことが意図される。
【０００７】
本発明の第１の要素は、１つ又は複数のカバーシートを備える。カバーシートは通常、１枚の紙、プラスチック、ポリマー、布、金属、又は他の好適な材料である。上面は、筆記可能又は印字可能な表面を備え、その上に、手書き、印刷、図形、郵送物、及び他の情報を入力することができる。場合によっては、下面も筆記可能表面を備えてもよい。カバーシートは、当該技術分野でよく知られており、ステッカ、接着ラベル、切手、トイレットペーパーなどの製造で一般に採用される方法を使用して、一連の島状輪郭又は「切抜き」を有するように切断される、又はミシン目を入れられる。切抜きは、同じ又は異なる形状及び寸法でもよく、カバーシート上のそれらのパターニングは、均一又はランダムでもよく、カバーシートの全体又は一部をカバーしてもよい。切抜き及びフィラメントの寸法、サイズ、及び形状は、フォントタイプ、フォント文字、及びフォントサイズ、文書形式などに依存し、データマスキングを最大化するように選択することができる。情報を不明瞭にする典型的な暗号化方法は、これらのパラメータを最適化するために採用することができ、破壊後、情報が不確定であり、法科学的に再び組み立てることができないことを保証する。いくつかの実施形態において、カバーシートは、任意選択の剥離ライナを有する、下部バッキングシートに接着される。いくつかの実施形態において、バッキングシートは透明である。バッキングシートが存在しないとき、カット又はミシン目は通常、切抜きがカバーシートから実質的に分離されるようなものでなければならないが、ページの完全性は維持され、各切抜きは、ミシン目の存在のために、最低限の力のみ使用してページから解放できる。バッキングシートが切抜きを支持するためにさらに存在するとき、切り込み／ミシン目は、下部バッキングシートに取り付けられた残りのカバーシートの格子を離れるために、切抜きがバッキング及びカバーシートからより容易に解放されるようにしてもよい。用途に応じて、カバーシートの上面又は下面のいずれかは、フィラメントを取り付けることができる接着領域をさらに備える。接着領域は、切抜き内に配置され、フィラメントと切抜きとの間のより強い結合を形成することが可能な接着剤を採用し、それにより、切抜きは、フィラメントに取り付けられたままであり、フィラメントを引き上げる又は引き抜くことによってカバーシートから解放される。バッキングシートが採用されるいくつかの実施形態において、カバーシートは、ミシン目のあるステッカに類似していてもよく、カバーシートの下面は、バッキングシートの基礎となる上面と解放可能な結合を形成することができる接着剤で覆われ、それは、以下でさらに説明される解放層として明確に述べられる。バッキングシートが採用されるいくつかの実施形態において、カバーシートは、カバーシートを覆う透明なトップシートをさらに備えてもよく、剥離ライナを使用して、切抜きでなく残りの枠組に一時的に接着される。トップシートは、所定の位置に切抜きを保持するために働き、トップシートの下の大量にミシン目があり、とても自由に浮動する切抜きをさらすためにはがすことができ、フィラメントによってつなぐことができる。トップシートの除去に続いて、フィラメント／切抜きは単一の部品として取り外すことができ、次いで、前述のようにストリッパではぎ取られる。
【０００８】
第２の要素は、通常、タブで終了する、１つ又は複数のフィラメントを備える。解放を容易にするために、切抜きを覆う、切抜きの下に置かれる、又は、カバーシート内に織られる、そして切抜きの間を通り抜け、直線状に又はランダムに切抜きを接続する上記のフィラメントによって、切抜きはつながれる。１つの末端では、フィラメントは、一連の最後の切抜きに取り付けられる。他方の末端では、フィラメントは、ストリッパを貫通し、以下でさらに説明されるように、実施形態に応じて、フィラメントを固定又は解放するように働くタブで終わってもよい。フィラメントのこの「自由端」は、カバーシートの残りの枠組の上又は下を通り、それに一時的に又は恒久的に取り付けられる。場合によっては、フィラメントの自由端は、簡単な解放を容易にするために側部又は隅部に並べて取り付けられる。自由端でフィラメントを引き上げることにより、切抜きはデイジーチェーン構成でカバーシートから解放され、個々の切抜きは解放されたフィラメントの長さに沿って並べられる。フィラメントは切抜きに接続されるので、印刷されたテキストの並んだ部分は、解放後、フィラメント上で隣接しない、そのため、元のテキストを形成するために再配置することは簡単にはできない。フィラメントは通常、ひも、糸、リボン、又はテープであり、任意の好適な材料から構成される。フィラメントは、ストリッパに隣接して自由端にタブをさらに備えてもよく、タブは、フィラメント端部をカバーシートに固定するのに役立つことができ、又は、フィラメントの引抜きを容易にするために把持及び解放することができる。タブは、指で把持するのに好適な任意の形状及び構造でもよく、常にフィラメントに取り付けられるが、さらにストリッパ及び／又はカバーシートに取り付けられてもよい。あるいは、タブは、フィラメントに不可欠であることがあり、把持を支援するフィラメントの扁平で補強された部分を備え、自由端をカバーシートに固定する機構をさらに備えてもよい。いくつかの実施形態において、複数のフィラメントが単一のタブで終了してもよく、複数のテキスト行を同時に消去できるようなハンドルを有する。いくつかの実施形態において、フィラメントは切抜きを覆い、書き込み又は印刷することができる表面をさらに備え、そのため、カバーシート及びフィラメントは、均一な筆記可能な表面として存在する。本実施形態において、フィラメントは、テープ又は他の扁平な表面として形づくられてもよく、一体的なタブを採用してもよい。
【０００９】
本発明の第３の要素は、フィラメントを囲む、１つ又は複数の剥離装置又はストリッパを備える。通常、ストリッパは、それが囲むフィラメントの直径よりわずかに大きな内径を有するリング、管、又はカラーであり、カバーシートに取り付けられてもよく、取り付けられなくてもよい。ストリッパは、適応できて、フィラメントの長さに沿って妨げられずに引っ張ることができる限り、任意の形状のカラーでもよい。場合によっては、複数のストリッパが、複数のフィラメントを囲む単一の「ストリッパユニット」に形成される。フィラメント末端又はタブを保持し、フィラメントの長さに沿ってストリッパを引っ張ることによって、カバーシートから解放後にフィラメントに接着した切抜きは、ストリッパに引っ張られると、はぎ取られて、離散的な穿孔屑としてフィラメントから解放される。各穿孔屑がランダムな情報の小片を含むので、これらの穿孔屑は、情報再構築の危険性なしに、安全に廃棄することができる。いくつかの実施形態において、ストリッパ私のさらなるは、ストリッパに差し込まれたブレードの任意選択の組であるシュレッダーを備え、そのため、穿孔屑は細かく切られる、つまり、穿孔屑がストリッパに遭遇するとブレードで切られる。これにより穿孔屑はより不明瞭になり、本発明にセキュリティのさらなる層を加える。
【００１０】
ストリッパは、恒久的に又は一時的に、フィラメント及び／又はカバーシートに取り付けられてもよい、あるいは、取り付けられずに、ストリッパが囲むフィラメントによって所定の位置に保持されてもよい。いくつかの実施形態において、ストリッパは、把持を支援するハンドルをさらに備えてもよい。本発明の１つの実施形態において、ストリッパは、カバーシートに恒久的に取り付けられ、切抜き及びフィラメントは、カバーシートに取り付けられたストリッパを通してフィラメントを引くことによって、単一の運動で解放され、穿孔屑がストリッパを通り過ぎると、穿孔屑はフィラメントから解放される。好ましい実施形態において、取り付けられたストリッパは、文書の把持を容易にする指掛け部で形成される。代替的な実施形態において、ストリッパは、使用前に所定の位置にストリッパを保持するように、カバーシートに一時的に取り付けられてもよい。本実施形態において、ストリッパ及びフィラメントは、フィラメント端部又はタブを引っ張ることによって第１の運動で解放され、その取り付けられ解放された切抜きを有するストリッパ及びフィラメントの両方がカバーシートから分離される。第２の剥離運動において、ストリッパは、次に、穿孔屑として切抜きを解放するように、解放されたフィラメントの長さに沿って引っ張られる。いくつかの実施形態において、複数のストリッパが、単一のストリッパユニットに形成されて、カバーシートに取り付けられてもよく、それにより、複数のフィラメントが同時にはぎ取られてもよい。本実施形態において、複数のフィラメントはストリッパユニットを通過して、ハンドルを有する単一のタブで終了する。タブを引っ張ることで、切抜きが解放され、単一の運動で複数のフィラメントをはぎ取る。さらなる実施形態において、複数のストリッパは、カバーシートに取り付けられない単一のストリッパユニットに形成されてもよいが、カバーシートに取り付けられた複数のフィラメントによって、所定の位置に保持される。本実施形態において、ストリッパユニットは、フィラメントの平面に沿って、そして、文書の表面全体で引かれる、それにより、複数のフィラメントが現場で同時にはぎ取られてもよい。
【００１１】
本発明の第４の任意選択の要素は、バッキングシート及び任意選択の剥離ライナを備える。バッキングシートを含むことによって、本発明の文書は、強化することができる、又は、要望通り商品に取り付けることができる。バッキングシートは、カバーシートを接着できる上面を備える。特徴として、上面は、剥離ライナの性質を有する、すなわち、ＨＤＰＥ、ＬＤＰＥ、及びＰＰプラスチック用樹脂などのポリオレフィン、シリコン、ポリビニルアルコール、又は他の好適な成分で被覆される、そしてそれはバッキングシートの全部又は一部を覆ってもよく、カバーシートの下面への信頼性は高いが一時的な結合を可能にする。これは、カバーシートへの固着を容易にするが、バッキングシートの上面からのミシン目のある切抜きのその後の解放を可能にする。本発明のいくつかの実施形態において、バッキングシートはその下面に加えられる接着剤を有することはなく、カバーシートへの結合によって上に重なるカバーシートを強化するように働く。他の実施形態において、バッキングシートの下面は、郵送物又は他の表面に取り付けることが可能な第２の接着面を備え、通常、剥離ライナによって保護されている。いくつかの実施形態において、下面は、任意選択の剥離ライナの有無にかかわらず、接着剤で被覆されてもよく、当該技術分野において知られている任意のそれらの技術によって、郵送物又は他の表面に接着することができる。例えば、下面は通常、感圧接着剤が表面を覆う、単純なステッカを備えてもよい。接着剤は、剥離ライナによって保護され、ステッカ業界で一般的であるように、ラベルが貼られる前の接着剤を保護する。特徴として、バッキングシートの上面と同様に、剥離ライナは、シリコン、ポリビニルアルコール、又は他の好適な成分によって被覆される上面を備え、表面の粘着性を低減し、第２の接着剤面への信頼性は高いが一時的な結合を可能にする。取り付けられた剥離ライナは、バッキングシートから剥離させて接着剤で覆われた下面を露出し、郵送物又は他の表面に取り付けることを容易にすることができる。あるいは、バッキングシートの下面の接着剤は、覆われずに、当該技術分野において知られている水、光、温度、又は他の手段によって有効化を必要としてもよく、この場合、任意選択の剥離ライナは省略されてもよい。
【００１２】
本発明の構造で採用される材料の的確な選択又は組合せは、具体的な用途及び実施形態に依存する。好適な材料は知られており、又は、当業者には明らかとなり、このリストからのそれらの排除は、本発明におけるそれらの重要性を損なうことを意図しない。いかなる場合でも、好適な材料及び方法は当該技術分野においてよく知られており、以下は、採用されてもよい材料の選択肢を示すこと意図し、限定することを意図しない。通常、カバーシート、バッキングシート、及び剥離ライナは、紙又は厚紙、例えば、木のパルプ又は当該技術分野において知られている他の繊維製品から構成される。いくつかの実施形態において、これらの要素は、布又は他の織布から構成される。あるいは、プラスチック及び他の有機ポリマーが使用されてもよい。特定の用途において、金属箔及び合金も有利でもよい。フィラメントも上記の材料から構成されてもよく、カバーシートと同じ又は異なる材料でもよい。フィラメントはさらに、ひも、糸、又は他のロープ又はリボン状の繊維材料から構成されてもよい。同様にストリッパ、ハンドル、及びタブは、上に挙げられたさまざまな材料から構築されてもよい。
【００１３】
接着剤は、ステッカ及びラベルの製造で一般に使用される任意の種類のものでもよい。例えば、接着剤は、恒久的なもの、はがしてまた使えるもの、又は高い粘着性のものでもよい。それぞれの表面のために選択される接着剤は、目の前にある課題に最適であろう。例えば、バッキングシートと郵送物との間の固着を保証するために、比較的強い結合が必要であり、一方、フィラメントの引抜き時に切抜き簡単な解放を容易にするように、比較的弱い結合がバッキングシートとカバーシートとの間で採用されてもよい。郵送物への下面の固い結合を発生させる当該技術分野で知られている任意の材料及び方法、ならびに上面とカバーシートと間の解放可能な結合が、本発明の範囲内で意図される。
【００１４】
当該技術と比較しての本発明の主な利点は、単純さともたらされるセキュリティ機能との組合せである。その利点は本発明に不可欠で、外部の機器を必要としないので、コストの増加は最小限であり、さらなる継続するコスト又は必要条件はない。説明されたように、破壊後、テキストは、解放された切抜きそれぞれの部分、残りの枠組上の部分、及び、フィラメント上の部分の３つの物理的に異なる部分に分けられる。文書破壊後、各個別の部品は、それ自身では正確に判読できないテキストの構成要素を含み、本明細書に列挙される機能の組合せにより三重に安全である。任意選択のシュレッダーを介在させることで、穿孔屑がフィラメントから解放されたときに各穿孔屑を破壊することによって、文書はさらに不明瞭になる。
【００１５】
図面のいくつかの図の簡単な説明
第１のシート上の図面は本発明の第１の実施形態を示し、会社でのセキュリティに有用である。図１Ａは、文書構成要素を分解図で詳細に示し、図１Ｂは、破壊の準備ができている記入済文書を示す。図１Ｃは、切抜きの解放及び文書破壊の開始を示す。
【００１６】
第２のシート上の図面は本発明の第２の実施形態を示し、郵送中の情報の保護に有用である。図２Ａは、文書構成要素を分解図で詳細に示し、フィラメント端部構成要素を詳細に示す差込み図（図２Ｅ）を含む。図２Ｂは、箱に取り付けられて、郵送物ポーチで囲まれた文書を示す。図２Ｃは、切抜きの解放及び文書破壊の開始を示し、図２Ｄでは、残りの枠組のみ箱の上に残っている。
【００１７】
第３のシート上の図面は、文書破壊の典型的なステップを示す。図３Ａ〜３Ｅは、破壊の準備ができている完成した文書（図３Ａ）から、フィラメントの最終的な解放（図３Ｄ）を経て図３Ｅにおけるストリッパによる穿孔屑の除去のステップを示す。
【００１８】
第４のシート上の図面は、装置の実施形態を示し、複数のフィラメントが、単一のタブで終了し、単一のストリッパユニットとしてカバーシートに取り付けられる複数のストリッパを通過する。図４Ａは、文書構成要素を分解図で詳細に示し、フィラメント端部構成要素を詳細に示す差込み図（図４Ｅ）を含む。図４Ｂは、箱に取り付けられた文書を示す。図４Ｃは、切抜きの解放及び文書破壊の開始を示し、図４Ｄでは、残りの枠組及びストリッパユニットのみ箱の上に残っている。
【００１９】
図５における第５のシート上の図面は、装置の実施形態を示し、複数のストリッパは、カバーシートに取り付けられない単一のストリッパユニットに形成されるが、カバーシートに取り付けられた複数のフィラメントによって、所定の位置に保持される。図５Ａは、文書構成要素を分解図で詳細に示し、フィラメント端部構成要素を詳細に示す差込み図（図５Ｅ）を含む。図５Ｂは、箱に取り付けられた文書を示す。図５Ｃは、切抜きの解放及び文書破壊の開始を示し、図５Ｄでは、穿孔屑以外のすべてが箱の上に残っている。
【００２０】
第６のシート上の図面は、処方及び医療情報の保護において使用される、装置の実施形態を示す。図６Ａでは、本発明のラベルが投薬容器に取り付けられている。差込み図（図６Ｂ及び図６Ｃ）は、ストリッパ要素の代替的な実施形態を詳細に示す。
【００２１】
図７における第７のシート上の図面は、装置の実施形態を示し、複数のラベルが単一のシートとして明確に示されている。
【図面の簡単な説明】
【００２２】
【図１Ａ】文書構成要素を分解図で詳細に示す。
【図１Ｂ】破壊の準備ができている記入済文書を示す。
【図１Ｃ】切抜きの解放及び文書破壊の開始を示す。
【図２Ａ】文書構成要素を分解図で詳細に示し、フィラメント端部構成要素を詳細に示す差込み図（図２Ｅ）を含む。
【図２Ｂ】箱に取り付けられて、郵送物ポーチで囲まれた文書を示す。
【図２Ｃ】切抜きの解放及び文書破壊の開始を示す。
【図２Ｄ】残りの枠組のみ箱の上に残っている状態を示す。
【図２Ｅ】フィラメント端部構成要素を詳細に示す。
【図３Ａ】破壊の準備ができている完成した文書を示す。
【図３Ｂ】ストリッパ及びタブが、タブを軽く引っ張った後に、それらの取付点からカバーシートに対して解放されている状態を示す。
【図３Ｃ】フィラメントがタブで引かれたときにカバーシートから解放されている切抜きを示す。
【図３Ｄ】フィラメントの最終的な解放を示す。
【図３Ｅ】ストリッパによる穿孔屑の除去を示す。
【図４Ａ】文書構成要素を分解図で詳細に示し、フィラメント端部構成要素を詳細に示す差込み図（図４Ｅ）を含む。
【図４Ｂ】箱に取り付けられた文書を示す。
【図４Ｃ】切抜きの解放及び文書破壊の開始を示す。
【図４Ｄ】残りの枠組及びストリッパユニットのみ箱の上に残っている状態を示す。
【図４Ｅ】フィラメント端部構成要素を詳細に示す。
【図５Ａ】文書構成要素を分解図で詳細に示し、フィラメント端部構成要素を詳細に示す差込み図（図５Ｅ）を含む。
【図５Ｂ】箱に取り付けられた文書を示す。
【図５Ｃ】切抜きの解放及び文書破壊の開始を示す。
【図５Ｄ】穿孔屑以外のすべてが箱の上に残っている状態を示す。
【図５Ｅ】フィラメント端部構成要素を詳細に示す。
【図６Ａ】本発明のラベルが投薬容器に取り付けられている状態を示す。
【図６Ｂ】ストリッパ要素の代替的な実施形態を詳細に示す。
【図６Ｃ】ストリッパ要素の代替的な実施形態を詳細に示す。
【図７】装置の実施形態を示し、複数のラベルが単一のシートとして明確に示されている。
【発明を実施するための形態】
【００２３】
図面の詳細な説明
以下の図面は、特許請求の範囲に係る発明を示すために提供されるが、限定するために提供されるものではない。
【００２４】
第１のシート上の図面は本発明の第１の実施形態を示し、会社でのセキュリティに有用である。分解図はさまざまな層を示すために使用されるが、実際は、文書は図１Ｂで見られるような均一表面として表し、それは破壊の準備ができている文書（１）を示すことに留意されたい。図１Ａは文書の分解図を示し、さまざまな要素をさらに示す。実施形態は、ミシン目（３）を入れられたカバーシート（２）を含む。ミシン目は、フィラメント（５）を引っ張ることによってカバーシートから解放できる一連の切抜き（４）を形成し、残りの枠組（６）を残す。フィラメントはストリッパ（７）のカラーを貫いて、任意選択タブ（８）で終了する。本実施形態において、ストリッパ及び／又はタブは、一時的な結合（９）によってカバーシートに取り付けられ、そこから取外し可能である。本実施形態において、カバーシート（２）には軽くミシン目（３）が入れられ、それにより、切抜き（４）は、フィラメント（５）を引っ張ることによって容易に解放することができるが、解放前には、ページ（１）はその完全性及び有用性を維持する。図１Ｃは、切抜きの解放及び文書破壊を示す。破壊時、文書（１）は、書かれたものを下に、フィラメント側を上にし、隅部で又は要望通りに固定されて、平坦面に置かれてもよく、フィラメント（５）が切抜きを解放するために引かれ、多くの場合、任意選択タブ（８）を採用する。印刷が文書の表面全体に分布しているので、切抜き及びその上に印刷された情報を取り除くことによって、残りの文書枠組上に残っている印刷は理解できなくなる。次に、ストリッパは、切抜きを含んだフィラメントの長さに沿って引かれ、切抜きは穿孔屑として解放されて、あらゆるデータが完全に抹消される。この工程は、図３でさらに詳述される。
【００２５】
第２のシート上の図面は、本発明の第２の実施形態を示し、廃棄された郵送物からの個人情報の窃盗への解決策として有用である。図２Ａは、郵送物ラベルの分解図を示す。前の図のように、本発明は、上記のような、残りの枠組（６）及び切抜き（４）から構成されるカバーシート（２）と、この場合にはカバーシートの上に横たわるフィラメント（５）と、剥離装置（７）とを備えるが、さらに、任意選択の剥離ライナ（１１）を有するバッキングシート（１０）を備え、それはパッケージ、容器、又は郵送物（１２）に接着することができる。フィラメント（５）の末端の要素は、図２Ｅに詳述され、剥離装置（７）と、任意選択タブ（８）と、取付点（９）とを含む。バッキングシートの追加により、本発明は商品に自由に取り付けることが可能になる。切抜き（４）の解放後、残りの枠組（６）は、バッキングシート及び郵送物に接着されたままである。印刷がラベルの表面全体に分布しているので、切抜き及びその上に印刷された情報を取り除くことによって、パッケージ又は郵送物に取り付けられた残りの枠組上に残っている印刷は理解できなくなる。図２Ｂにおいて、郵送物ラベルは、箱（１２）に接着されて示される。この図面では、ラベルは郵送物ポーチ（１３）内に含まれて、箱に接着されている。図２Ｃにおいて、ラベル破壊は、タブ（８）を使用して、ストリッパ（７）を通してフィラメント（５）を引くことによって開始され、ミシン目（３）のあるカバーシート（２）から切抜き（４）が解放されて、穿孔屑（１４）がフィラメントから外される。図２Ｄにおいて、ここで残りの枠組（６）のみから構成される破壊された文書は、箱に接着されたままである。文書破壊のステップは、図３でさらに詳述される。本発明のラベルは、ラベルを必要とする輸送及び通信のすべての形態に好適であり、それは、箱、手紙、小包、パッケージ、郵送用円筒、投稿、配達、航空便、輸送、文書、ノート、メモ、ちらし、新聞紙、広告用材料などを含むが、これらに限定されない。
【００２６】
第３のシート上の図面は、本発明の典型的な文書の破壊におけるステップの順序を示す。左側から始まり、図３Ａは、破壊の準備ができている文書（１）を示す。本実施形態において、ストリッパ及びタブは、カバーシートに一時的に取り付けられる（９）。図３Ｂにおいて、ストリッパ（７）及びタブ（８）は、タブを軽く引っ張った後に、それらの取付点（９）から、カバーシート（２）に対して解放されている。図３Ｃは、フィラメント（５）がタブで引かれたときにカバーシートから解放されている切抜き（４）を示し、一方、図３Ｄでは、フィラメント（５）、切抜き（４）、及びストリッパ（７）は、ラベルから完全に分離されて、ここでは切抜きのない残りのカバーシート枠組（６）が残っているが、下部バッキングシートにまだ接着されている（この図では示されていない、図２参照）。最後に、図３Ｅにおいて、フィラメントはタブ（８）で把持され、ストリッパ（７）はフィラメント（５）の長さに沿って引かれ、テキストのランダムな部分を含む穿孔屑（１４）として切抜き（４）が解放され、元の印刷されたラベルが破壊される。
【００２７】
第４のシート上の図面は、本発明の第３の実施形態を示し、廃棄された郵送物からの個人情報の窃盗への解決策として有用である。図４Ａは、郵送物ラベルの分解図を示す。本発明は、上記のように、残りの枠組（６）及び切抜き（４）から構成されるカバーシート（２）と、パッケージ、容器、又は郵送物（１２）に接着することができる、任意選択の剥離ライナ（１１）を有するバッキングシート（１０）とを備える。本実施形態において、複数のフィラメント（５）は、カバーシートに一時的に接着されたハンドル（１９）を有する単一の固いタブ（８）で終了する。フィラメントは、カバーシートの一方側に沿って恒久的に取り付けられたストリッパユニット（７）を通過し、ストリッパユニット（７）は、フィラメントと整列してフィラメントを囲むように、ストリッパユニットに取り付けられてストリッパユニットに沿って間隔をあけられた、フィラメント数と等しい数の複数のストリッパを備える。フィラメント（５）の末端の要素は、図４Ｅに詳述され、取付点（９）でカバーシートに恒久的に取り付けられる剥離ユニット（７）と、一時的にカバーシートに取り付けられるハンドル（１９）を有するタブ（８）とを含む。図４Ｂにおいて、郵送物ラベルは、箱（１２）に接着されて示される。図４Ｃにおいて、ラベル破壊は、タブとカバーシートとの間の結合を壊すことによって、そして、取り付けられたハンドル（１９）を使用してタブ（８）を引くことで、カバーシートに取り付けられたストリッパユニット（７）を通してフィラメント（５）を引くことによって開始される。これにより、ミシン目（３）のあるカバーシート（２）からのすべての列の切抜き（４）の解放と、フィラメントからの穿孔屑（１４）の取外しとが同時に行われる。図４Ｄにおいて、ここでストリッパユニット（７）及び箱に接着されたままである残りの枠組（６）のみから構成される破壊された文書。本発明のラベルは、ラベルを必要とする輸送及び通信のすべての形態に好適であり、それは、箱、手紙、小包、パッケージ、郵送用円筒、投稿、配達、航空便、輸送、文書、ノート、メモ、ちらし、新聞紙、広告用材料などを含むが、これらに限定されない。
【００２８】
第５のシート上の図面は、本発明の第４の実施形態を示し、廃棄された郵送物からの個人情報の窃盗への解決策として有用である。図５Ａは、郵送物ラベルの分解図を示す。本発明は、上記のように、残りの枠組（６）及び切抜き（４）から構成されるカバーシート（２）と、パッケージ、容器、又は郵送物（１２）に接着することができる、任意選択の剥離ライナ（１１）を有するバッキングシート（１０）とを備える。本実施形態において、複数のフィラメント（５）は、カバーシートに恒久的に取り付けられる単一の固いタブ（８）で終了する。フィラメントは、ハンドル（１９）を有するストリッパユニット（７）を通過し、ストリッパユニット（７）は、フィラメントと整列してフィラメントを囲むように、ストリッパユニットに取り付けられてストリッパユニットに沿って間隔をあけられた、フィラメント数と等しい数の複数のストリッパを備える。本実施形態において、ストリッパユニットは、カバーシートに接着されないが、それが囲むフィラメントに沿って進み、ハンドルを使用することで、カバーシートから切抜きの列を同時に移動させるように、ラベルの表面を横切って水平に引くことができ、ストリッパユニットが文書の表面を通過すると、フィラメントから穿孔屑をはぎ取る。フィラメント（５）の末端の要素は、図５Ｅに詳述され、カバーシートに恒久的に取り付けられるタブ（８）と、ハンドル（１９）を有するストリッパユニット（７）とを含む。図５Ｂにおいて、郵送物ラベルは、箱（１２）に接着されて示される。図５Ｃにおいて、ラベル破壊は、フィラメント（５）に沿って文書（２）の表面を横切ってストリッパユニット（７）を水平に通過させるようにハンドル（１９）を引っ張ることによって開始される。これにより、ミシン目（３）のあるカバーシート（２）からのすべての列の切抜き（４）の解放と、フィラメントからの穿孔屑（１４）の取外しとが同時に行われる。図５Ｄにおいて、ストリッパユニット（７）はその通過が完了し、破壊された文書は、穿孔屑として排出された切抜き以外は、装置のすべての部分を保持する、よって、あらゆるデータが抹消される。本発明のラベルは、ラベルを必要とする輸送及び通信のすべての形態に好適であり、それは、箱、手紙、小包、パッケージ、郵送用円筒、投稿、配達、航空便、輸送、文書、ノート、メモ、ちらし、新聞紙、広告用材料などを含むが、これらに限定されない。
【００２９】
第６のシート上の図面は、処方及び医療情報の保護において使用される、装置の実施形態を示す。本発明のラベルは、投薬容器（１５）に取り付けられる。本実施形態は、カバーシート（２）と、ミシン目（３）と、切抜き（４）と、フィラメント（５）とを含む、上に挙げられた要素を備えるが、ラベルを容器と同一平面上に位置することを容易にするために、タブは省略され、フィラメント端部は固く変更される又は補強される（１６）。差込み図（図６Ｂ及び図６Ｃ）は、フィラメント端部／ストリッパの２つの実施形態を示す。図４Ｂにおいて、フィラメントは、フィラメント（５）に不可欠であり、タブとして利用することができる補強された端部（１６）を有する。本実施形態において、ストリッパ（７）は、カバーシート及び容器と同一平面上に位置するように、フィラメントを囲み、フィラメントに対して平らに折られる。フィラメント端部（１６）及びストリッパ（７）は、カバーシート（２）に一時的に接着され、切抜きの解放を開始するために軽く引くことによって解放される。図６Ｃにおいて、ストリッパ（７）は、カバーシート（２）に恒久的に取り付けられる円筒である。フィラメント及び切抜きの解放は現場で実行され、フィラメント（５）はストリッパ（７）を通して引かれ、ストリッパ（７）は引き続き、容器に取り付けられている。
【００３０】
第７のシート上の図面は、単一のシート（１６）に組み込まれた複数のラベルパネル（１７）の使用を示す。本発明の要素は、前述のとおりであり、切抜き（４）を有するカバーシート（２）を含み、フィラメント（５）を、取り付けられたストリッパ（７）及びタブ（８）と相互接続する。バッキングシート及び剥離ライナ（１１）が各パネルの端でミシン目を入れられるので、ラベルの各例は、独立して適用されてもよい。説明図では、それぞれが各ラベルの複写コピーを備える６枚のパネルが、１枚のシートとして示されている。右下には、一組の複製ラベル（１７）を有するパネルが、シート（１６）から分割されて示されている。上部中央のパネルは、単一のラベル上での複数のフィラメント（１８）の使用を示す。フィラメントの解放により、パネルの上部から情報が破壊される
が、後の時間まで下部の情報は無傷のままである。よって、各フィラメントは、カバーシートの１つ又は複数の部分から切抜きを解放するために、独立して引くことができ、一方、後の時間まで隣接するテキストは無傷のままである。
【００３１】
実施形態の説明
本明細書に記載される図、例、及び実施形態は、例示のみ目的とするものであり、その点を考慮したさまざまな修正又は変更は、当業者に提案され、本出願の精神及び範囲内、及び添付の特許請求の範囲内に含まれることが理解される。以下の例は、特許請求の範囲に係る発明を示すために提供されるが、限定するために提供されるものではなく、例示的実施形態に示される限定は、特許請求の範囲における限定として解釈すべきではない。本明細書に引用されるすべての出版物、特許及び特許出願は、すべての目的のためにその全体が参照することにより本明細書に組み込まれる。
【００３２】
本発明は特定の任意選択の要素を備えるので、各所望の使用のために調整することができる。タブ、シュレッダー、バッキングシート、及び関連する剥離ライナは、本発明のすべての任意選択の要素であり、各実施形態におけるそれらの包含及び排除は、用途に応じて選択される。さらに、フィラメントはカバーシートの上を通っても下を通ってもよく、フィラメント、ストリッパ、及び／又はタブの取付けのための多数のメカニズムが意図される。
【実施例】
【００３３】
実施例１
本実施例は、会社情報、例えば、制御された作業環境内で発生する通信の窃盗に対する解決策を提供する。図１Ａに示されるように、本発明は、カバーシートと、フィラメントと、剥離装置とを備え、任意選択タブをさらに備えてもよい。本実施形態において、カバーシートはミシン目を入れられ、それにより、切抜きはフィラメントを引っ張ることによって容易に解放することができるが、解放前には、ページはその完全性及び有用性を維持する。破壊時、文書は、テキストを下に、フィラメント側を上にし、隅部で又は要望通りに（例えば、手で）固定されて、平坦面に置かれ、フィラメントが切抜きを解放するために引かれる。印刷が文書の表面全体に分布しているので、切抜き及びその上に印刷された情報を取り除くことによって、残りの文書枠組上に残っている印刷は理解できなくなる。次に、ストリッパは、切抜きを含んだフィラメントの長さに沿って引かれ、時には任意選択タブを採用し、切抜きは穿孔屑として解放されて、あらゆるデータが完全に抹消される。任意選択のシュレッダーを追加することで、あらゆるデータがさらに不明瞭になる。好ましい実施形態において、フィラメントは、均一な上部筆記面を提供するように、カバーシートの下に置く。さらなる実施形態においてラベルは、本発明の１つ又は複数の例による単一のパネルを含んでもよく、あるいは、それぞれが本発明の０個以上の例を備える複数のパネルを有してもよい。パネルは隣接してもよく、又は、個々の構成要素として存在してもよい。機密文書からの情報を識別するすべてを取り外すための迅速で、簡単な、一体型のシステムを提供することによって、本発明は、会社の又は会社のクライアントの情報を獲得及び悪用から保護する方法を会社に提供する。外部の機器が必要でなく、破壊が現場で実現できるので、使いやすさ及びコンプライアンスは最大化される。本発明のラベルは、機密通信のすべての形態に好適であり、それは、手紙、文書、ノート、メモ、図面、図形、スケッチ、落書き、いたずら書き、カード、シート、ロール、大量の書き物、及び画像を含むが、これらに限定されない。
【００３４】
実施例２
本実施例は、会社情報、例えば、制御された作業環境内で発生する通信の窃盗に対するさらなる解決策を提供する。前述のように、本発明は、カバーシートと、任意選択タブを有するフィラメントと、剥離装置とを備え、バッキングシートをさらに備える。本実施形態において、バッキングシートは、接着剤で覆われた下面を有さず、任意選択の剥離ライナは省略される。バッキングシートの追加は、覆っているカバーシートを支持して、強化し、状況が必要とするとき、もたらす及びより堅牢な文書。本実施形態において、切抜きは下部のミシン目が入ってないバッキングシートによって支持されて、それに接着されるので、カバーシートは、より大量にミシン目を入れられてもよい。本実施形態において、フィラメントはカバーシートを覆い、筆記可能表面を構成する。さらなる実施形態において、切抜きは、カバーシートから完全に分離されてもよいが、切抜きでなく、カバーシートの残りの枠組に剥離ライナとともに一時的に接着される任意選択の透明なトップシートによって、所定の位置に保持されてもよい。トップシートの除去に続いて、ここで自由に動く切抜きは、フィラメントを使用して取り出され、次いで、取り付けられたストリッパがその長さに沿って引かれる、解放、切抜き。さらなる実施形態において、ラベルは、本発明の１つ又は複数の例による単一のパネルを含んでもよく、あるいは、それぞれが本発明の０個以上の例を備える複数のパネルを有してもよい。パネルは隣接してもよく、又は、個々の構成要素として存在してもよい。前述の実施形態のように、本実施形態は、会社文書を含むがそれに限定されない機密通信のすべての形態の保護における有用性を見出す。
【００３５】
実施例３
本実施例は、廃棄された郵送物及び容器からの個人情報の窃盗に対する解決策を提供する。図２Ａに示されるように、本発明は、上記のようなカバーシートと、フィラメントと、剥離装置と、バッキングシートとを備える郵送物ラベルを提供するが、本実施形態において、バッキングシートの下面は、接着剤、及び任意選択の剥離ライナで被覆され、それはパッケージ、容器、又は郵送物に接着することができる。バッキングシートの追加により、本発明は商品に自由に取り付けることが可能になる。本実施形態において、切抜きは下部のミシン目が入ってないバッキングシートによって支持されて、それに接着されるので、カバーシートは、より大量にミシン目を入れられてもよい。切抜きは、フィラメントを引っ張って、バッキングシートから剥離させ、ミシン目を分離することによって、カバーシートから取り除かれてもよく、残りの枠組は、バッキングシートに接着されたままである。印刷がラベルの表面全体に分布しているので、切抜き及びその上に印刷された情報を取り除くことによって、パッケージ、容器、又は郵送物に取り付けられた残りの枠組上に残っている印刷は理解できなくなる。好ましい実施形態において、フィラメントはカバーシートを覆い、筆記可能表面を構成する。さらなる好ましい実施形態において、ラベルは、本発明の１つ又は複数の例による単一のパネルを含んでもよく、あるいは、それぞれが本発明の０個以上の例を備える複数のパネルを有してもよい。パネルは隣接してもよく、又は、個々の構成要素として存在してもよい。さらなる好ましい実施形態において、ラベルは、郵送物窓の後ろで、郵送物バッグに囲まれてもよく、あるいは、恒久的に又は一時的にそれに取り付けられてもよい。本実施形態において、バッキングシートの粘着性の下面及び関連する剥離ライナは、省略されてもよい。バッグは、出荷ラベルを受けるように構成される１つ又は複数のポーチを含んでもよい。本発明のいくつかの実施形態において、バッグは、バッグの両側から視認可能である単一のポーチを含んでもよく、それによって、バッグは、受取人への及び受取人からのいずれかの又は両方の郵送のためのラベルを受けることが可能になる。本発明のいくつかの実施形態において、バッグは、バッグの両側からアクセスできるポーチを含んでもよく、あるいは、互いに近くてもよい、又は、バッグの異なる位置でもよい２つ以上のポーチを備えてもよい。バッグは、任意の好適な手段によって閉じられてもよく、それは、ジッパ、チャネル、ジップロック式閉鎖、マジックテープ式閉鎖、接着性閉鎖、機械式閉鎖などを含むがこれらに限定されない。郵送物ラベルからの情報を識別するすべてを取り外すための迅速で、簡単で、効果的な方法を提供することによって、本発明は、消費者及び郵便利用者の又は消費者及び郵便利用者のクライアントの情報を獲得及び悪用から保護する方法を消費者及び郵便利用者の両方に提供する。本発明のラベルは、ラベルを必要とする輸送及び通信のすべての形態に好適であり、それは、箱、手紙、小包、パッケージ、郵送用円筒、投稿、配達、航空便、輸送、文書、ノート、メモ、ちらし、新聞紙、広告用材料などを含むが、これらに限定されない。
【００３６】
実施例４
本実施例は、廃棄された郵送物及び容器からの個人情報の窃盗に対する解決策を提供し、ハンドルを有する単一のタブが、ストリッパユニットを通して複数のフィラメントを引くのに使用される。図４Ａに示されるように、本発明は、カバーシートと、複数のフィラメントと、剥離ユニットと、ハンドルを有するタブと、剥離ライナを有するバッキングシートとを備える郵送物ラベルを提供し、それはパッケージ、容器、又は郵送物に接着することができる。本実施形態において、複数のフィラメントは、カバーシートに一時的に接着される、取り付けられたハンドルを有する単一の固いタブで終了する。各フィラメントは、カバーシートの片側に沿って恒久的に取り付けられるストリッパユニットを通過し、ストリッパユニットは、フィラメントと整列してフィラメントを囲むように、ストリッパユニットに取り付けられてストリッパユニットに沿って間隔をあけられた、フィラメント数と等しい数の複数のストリッパを備える。タブが取り付けられたハンドルによって引かれると、フィラメントは、ストリッパユニットを通して引かれ、カバーシートから切抜きを解放し、次いで、フィラメントから穿孔屑を解放する。印刷がラベルの表面全体に分布しているので、切抜き及びその上に印刷された情報を取り除くことによって、パッケージ、容器、又は郵送物に取り付けられた残りの枠組上に残っている印刷は理解できなくなる。
【００３７】
実施例５
本実施例は、廃棄された郵送物及び容器からの個人情報の窃盗に対する解決策を提供し、ハンドルを有する単一のストリッパユニットが、現場で複数のフィラメントをはぎ取るのに使用される。図５Ａに示されるように、本発明は、カバーシートと、カバーシートに取り付けられるタブで終了する複数のフィラメントと、剥離ユニットに通されるハンドルを有する剥離ユニットと、剥離ライナを有するバッキングシートとを備える郵送物ラベルを提供し、それはパッケージ、容器、又は郵送物に接着することができる。本実施形態において、複数のフィラメントは、カバーシートに恒久的に取り付けられる単一の固いタブで終了する。各フィラメントは、ストリッパユニットを通過し、ストリッパユニットは、フィラメントと整列してフィラメントを囲むように、ストリッパユニットに取り付けられてストリッパユニットに沿って間隔をあけられた、フィラメント数と等しい数の複数のストリッパを備える。このストリッパユニットは、カバーシートに恒久的には取り付けられないが、囲まれたフィラメントによって、又は、カバーシートへの一時的な取付けによって、所定の位置に保持される。ストリッパユニットが、取り付けられたハンドルを使用して、フィラメントの平面に沿って、文書の表面を横切って水平に通り過ぎるとき、フィラメントは、ストリッパユニットを通して引かれ、カバーシートから切抜きを解放し、次いで、フィラメントから穿孔屑を解放する。ストリッパユニットがその水平の通過を完了したとき、穿孔屑が取り除かれて、パッケージから排出されたことを除いて、装置は無傷のままである。印刷がラベルの表面全体に分布しているので、切抜き及びその上に印刷された情報を取り除くことによって、パッケージ、容器、又は郵送物に取り付けられた残りの枠組上に残っている印刷は理解できなくなる。
【００３８】
実施例６
本実施例は、個人及び産業の医療情報の窃盗に対する一連の解決策を提供する。前述のように、本発明は、カバーシートと、フィラメントと、時には任意選択のシュレッダーを含む剥離装置と、粘着性のバッキングシートとを備え、それは、私的な医療情報を含む、任意の商品、例えば、パッケージ、容器、文書、又は郵送物に接着することができる。この実施形態は、実施例３の要素のすべてを含むが、フィラメントに一体化されたタブを備える特殊なフィラメント端部を有する。タブは通常、カバーシートと同一平面上にある、フィラメントの固くされた延長部であり、印刷のために、及び容器への接着後、均一表面を提示する。好ましい実施形態において、フィラメントはカバーシートを覆い、筆記可能表面を構成する。さらなる好ましい実施形態において、ラベルは、本発明の１つ又は複数の例による単一のパネルを含んでもよく、あるいは、それぞれが本発明の０個以上の例を備える複数のパネルを有してもよい。パネルは隣接してもよく、又は、個々の構成要素として存在してもよい。遺伝子科学の進歩、及び、１９９６年のHealth Insurance Portability and Accountability Act（ＨＩＰＡＡ）のその後の導入の後ほど、より良好な患者の情報セキュリティの必要性がより大きくなったことはない。本実施形態は、医薬品、容器、ラベル、処方箋、及びそのような重要な医療情報を含む他の商品上の処方及び患者情報の保護における使用に非常に適している。
【図１Ａ】
2019526066.tif 000003
【図１Ｂ】
2019526066.tif 000004
【図１Ｃ】
2019526066.tif 000005
【図２Ａ．２Ｅ】
2019526066.tif 000006
【図２Ｂ】
2019526066.tif 000007
【図２Ｃ】
2019526066.tif 000008
【図２Ｄ】
2019526066.tif 000009
【図３Ａ】
2019526066.tif 000010
【図３Ｂ】
2019526066.tif 000011
【図３Ｃ】
2019526066.tif 000012
【図３Ｄ】
2019526066.tif 000013
【図３Ｅ】
2019526066.tif 000014
【図４Ａ．４Ｅ】
2019526066.tif 000015
【図４Ｂ】
2019526066.tif 000016
【図４Ｃ】
2019526066.tif 000017
【図４Ｄ】
2019526066.tif 000018
【図５Ａ．５Ｅ】
2019526066.tif 000019
【図５Ｂ】
2019526066.tif 000020
【図５Ｃ】
2019526066.tif 000021
【図５Ｄ】
2019526066.tif 000022
【図６Ａ−６Ｃ】
2019526066.tif 000023
【図７】
2019526066.tif 000024
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
自己破壊文書であって、
印刷することが可能なカバーシートであって、引き上げることによって、前記カバーシートから解放することができる一連の島状切抜きを形成するように切り込む又はミシン目を入れることが可能なカバーシートと、
前記切抜きを覆い又は前記切抜きを下に置き、前記切抜きに接着され、直線状に又はランダムに前記切抜きを接続するフィラメントと、
前記フィラメントを囲むカラーであって、前記接着された切抜きを前記フィラメントから解放するように、前記フィラメントの長さに沿って引かれることが可能なカラーを備えるストリッパと、を備える自己破壊文書。
【請求項２】
前記切抜き及びフィラメントの形状が、データマスキングを最大化するように選択される、請求項１に記載の発明。
【請求項３】
前記フィラメントが、前記フィラメントの引抜きを容易にするために、自由端にタブをさらに備える、請求項１に記載の発明。
【請求項４】
前記タブが、前記フィラメントに不可欠である、請求項３に記載の発明。
【請求項５】
前記フィラメントが、前記カバーシート及びフィラメントが、均一な筆記可能な表面として存在するように書き込み又は印刷することができる表面を備える、請求項１に記載の発明。
【請求項６】
前記フィラメントが、前記ストリッパを貫通し、前記ストリッパが、前記文書に恒久的に取り付けられ、前記文書の把持を容易にする指掛け部とともに形成される、請求項１に記載の発明。
【請求項７】
下部バッキングシートをさらに備え、
前記カバーシートが、前記バッキングシートを覆い、前記バッキングシートに一時的に接着される下部接着面を有する、請求項１に記載の発明。
【請求項８】
前記バッキングシートが透明である、請求項７に記載の発明。
【請求項９】
前記下部バッキングシートが、郵送物又は他の表面に取り付けることが可能な下部接着面をさらに備える、請求項７に記載の発明。
【請求項１０】
前記下部バッキングシートが、郵送物又は他の表面に取り付けることが可能な下部接着面をさらに備え、前記下部接着面が、剥離ライナによって保護される、請求項７に記載の発明。
【国際調査報告】
2019526066.tif 000025